【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
安定なエマルジョンを形成するに有効な量で乳化剤組成物を含むディーゼル中水型エマルジョンを含んでなる燃料エマルジョンであって、前記乳化剤組成物は、
ａ）多価アルコールの脂肪酸エステルまたは部分エステル；
ｂ）多価アルコールのアルコキシル化脂肪酸エステルまたは部分エステル；および
ｃ）アルコキシル化一級アルコール
から選択される少なくとも１成分とともに、親水性反復単位および疎水性反復単位を有するポリマー非イオン界面活性剤を含んでなり、前記ポリマー非イオン界面活性剤および前記の少なくとも１成分は、乳化剤組成物が少なくとも４の親水性親油性バランスの値を有するように選択される燃料エマルジョン。
【請求項２】
エマルジョンの全重量を基準とする重量％で少なくとも７０重量％のディーゼルと、２５重量％以下の水を含む、請求項１に記載の燃料エマルジョン。
【請求項３】
組成物の全重量に対し、０．１％から４％の範囲の量の乳化剤組成物を含んでなる、請求項１または請求項２に記載の燃料エマルジョン。
【請求項４】
前記乳化剤組成物が少なくとも５の親水性親油性バランスの値を有する、請求項１〜３のいずれかに記載の燃料エマルジョン。
【請求項５】
前記乳化剤組成物が８以下の親水性親油性バランスの値を有する、請求項１〜４のいずれかに記載の燃料エマルジョン。
【請求項６】
前記乳化剤組成物の全重量に対して５０重量％以下の前記ポリマー非イオン界面活性剤を、成分ａ）、ｂ）およびｃ）の少なくとも１つとともに含んでなる、請求項１〜５のいずれかに記載の燃料エマルジョン。
【請求項７】
前記ポリマー非イオン界面活性剤を、成分ａ）、ｂ）およびｃ）の少なくとも２成分とともに含んでなる、請求項１〜６のいずれかに記載の燃料エマルジョン。
【請求項８】
前記ポリマー非イオン界面活性剤を、成分ａ）およびｂ）とともに含んでなる、前記請求項１〜７のいずれかに記載の燃料エマルジョン。
【請求項９】
前記ポリマー非イオン界面活性剤がポリエステルであり、前記親水性単位がポリオキシアルキレン単位であり、前記疎水性単位が長鎖炭化水素残基である、請求項１〜８のいずれかに記載の燃料エマルジョン。
【請求項１０】
成分ａ）が、１種または複数種の多価アルコールと１種または複数種の脂肪酸との反応生成物である、請求項１〜９のいずれかに記載の燃料エマルジョン。
【請求項１１】
前記多価アルコールが、少なくとも３つのヒドロキシル基を有するアルコールを含んでなる、請求項１０に記載の燃料エマルジョン。
【請求項１２】
前記多価アルコールが、グリセロールおよびソルビトールから選択される、請求項１０または請求項１１に記載の燃料エマルジョン。
【請求項１３】
前記脂肪酸が、Ｃ12からＣ24の、直鎖または分岐鎖の、飽和または不飽和酸を含んでなる、請求項１０〜１２のいずれかに記載の燃料エマルジョン。
【請求項１４】
前記脂肪酸が、Ｃ16からＣ20の直鎖酸を含んでなる、請求項１０〜１３のいずれかに記載の燃料エマルジョン。
【請求項１５】
前記脂肪酸が、ステアリン酸またはオレイン酸から選択される、請求項１０〜１３のいずれかに記載の燃料エマルジョン。
【請求項１６】
成分ｂ）が、少なくとも１種の成分ａ）とアルキレンオキシドとの反応生成物である、請求項１〜１５のいずれかに記載の燃料エマルジョン。
【請求項１７】
成分ｂ）が、少なくとも１種の成分ａ）と、５０モル以下のアルキレンオキシドとの反応生成物である、請求項１〜１６のいずれかに記載の燃料エマルジョン。
【請求項１８】
成分ｃ）が、Ｃ7−Ｃ20の一級アルコールまたはそれらの混合物と、アルキレンオキシドとの反応生成物である、請求項１〜１７のいずれかに記載の燃料エマルジョン。
【請求項１９】
成分ｃ）が、Ｃ7−Ｃ20の一級アルコールまたはそれらの混合物と、５０モル以下のアルキレンオキシドとの反応生成物である、請求項１〜１８のいずれかに記載の燃料エマルジョン。
【請求項２０】
一級アルコールを含んでなる、請求項１〜１９のいずれかに記載の燃料エマルジョン。
【請求項２１】
Ｃ5からＣ15の一級アルコールから選択される一級アルコールを含んでなる、請求項２０に記載の燃料エマルジョン。
【請求項２２】
前記一級アルコールが、乳化剤組成物の５重量％以下を構成する、請求項２０または請求項２１に記載の燃料エマルジョン。
【請求項２３】
燃料エマルジョンに使用するための乳化剤組成物であって、
ａ）多価アルコールの脂肪酸エステルまたは部分エステル；
ｂ）多価アルコールのアルコキシル化脂肪酸エステルまたは部分エステル；および
ｃ）アルコキシル化一級アルコール
から選択される少なくとも１成分とともに、親水性反復単位および疎水性反復単位を有するポリマー非イオン界面活性剤を含んでなり、前記ポリマー非イオン界面活性剤および前記の少なくとも１成分が、乳化剤組成物が少なくとも４の親水性親油性バランスの値を有するように選択される乳化剤組成物。
【請求項２４】
親水性親油性バランスの値が少なくとも５である、請求項２３に記載の乳化剤組成物。
【請求項２５】
親水性親油性バランスの値が８以下である、請求項２３または請求項２４に記載の乳化剤組成物。
【請求項２６】
乳化剤組成物の全重量に対して５０重量％以下の前記ポリマー非イオン界面活性剤を、成分ａ）、ｂ）およびｃ）の少なくとも１つとともに含んでなる、請求項２３〜２５のいずれかに記載の乳化剤組成物。
【請求項２７】
前記ポリマー非イオン界面活性剤を、成分ａ）、ｂ）およびｃ）の少なくとも２成分とともに含んでなる、請求項２３〜２６のいずれかに記載の乳化剤組成物。
【請求項２８】
前記ポリマー非イオン界面活性剤を、成分ａ）およびｂ）とともに含んでなる、請求項２３〜２７のいずれかに記載の乳化剤組成物。
【請求項２９】
前記ポリマー非イオン界面活性剤がポリエステルであり、前記親水性単位がポリオキシアルキレン単位であり、前記疎水性単位が長鎖炭化水素残基である、請求項２３〜２８のいずれかに記載の乳化剤組成物。
【請求項３０】
成分ａ）が、１種または複数種の多価アルコールと１種または複数種の脂肪酸との反応生成物である、請求項２３〜２９のいずれかに記載の乳化剤組成物。
【請求項３１】
前記多価アルコールが、少なくとも３つのヒドロキシル基を有するアルコールを含んでなる、請求項３０に記載の乳化剤組成物。
【請求項３２】
前記多価アルコールが、グリセロールおよびソルビトールから選択される、請求項３０または請求項３１に記載の乳化剤組成物。
【請求項３３】
前記脂肪酸が、Ｃ12からＣ24の、直鎖または分岐鎖の、飽和または不飽和酸を含んでなる、請求項３０〜３２のいずれかに記載の乳化剤組成物。
【請求項３４】
前記脂肪酸が、Ｃ16からＣ20の直鎖酸を含んでなる、請求項３０〜３３のいずれかに記載の乳化剤組成物。
【請求項３５】
前記脂肪酸が、ステアリン酸またはオレイン酸から選択される、請求項３０〜３４のいずれかに記載の乳化剤組成物。
【請求項３６】
成分ｂ）が、少なくとも１種の成分ａ）とアルキレンオキシドとの反応生成物である、請求項２３〜３５のいずれかに記載の乳化剤組成物。
【請求項３７】
成分ｂ）が、少なくとも１種の成分ａ）と、５０モル以下のアルキレンオキシドとの反応生成物である、請求項３６に記載の乳化剤組成物。
【請求項３８】
成分ｃ）が、Ｃ7−Ｃ20の一級アルコールまたはそれらの混合物と、アルキレンオキシドとの反応生成物である、請求項２３〜３７のいずれかに記載の乳化剤組成物。
【請求項３９】
成分ｃ）が、Ｃ7−Ｃ20の一級アルコールまたはそれらの混合物と、５０モル以下のアルキレンオキシドとの反応生成物である、請求項３８に記載の乳化剤組成物。
【請求項４０】
一級アルコールを含んでなる、請求項２３〜３９のいずれかに記載の乳化剤組成物。
【請求項４１】
Ｃ5からＣ15の一級アルコールから選択される一級アルコールを含んでなる、請求項４０に記載の乳化剤組成物。
【請求項４２】
前記一級アルコールが、乳化剤組成物の５重量％以下を構成する、請求項４０または請求項４１に記載の乳化剤組成物。
【請求項４３】
安定なエマルジョンを形成するのに有効な量の乳化剤組成物を含むディーゼル中水型エマルジョンを含んでなる燃料エマルジョンの製造方法であって、前記乳化剤組成物が、
ａ）多価アルコールの脂肪酸エステルまたは部分エステル；
ｂ）多価アルコールのアルコキシル化脂肪酸エステルまたは部分エステル；および
ｃ）アルコキシル化一級アルコール
から選択される少なくとも１成分とともに、親水性反復単位および疎水性反復単位を有するポリマー非イオン界面活性剤を含んでなり、前記ポリマー非イオン界面活性剤および前記の少なくとも１成分が、乳化剤組成物が少なくとも４の親水性親油性バランスの値を有するように選択される方法であって、単一混合操作において、ディーゼルおよび前記乳化剤組成物さらに水を、エマルジョンを形成するのに十分な速度および時間の間、混合物に高剪断混合を施しながら混合容器に導入する工程を含んでなる燃料エマルジョンの製造方法。
【手続補正２】
【補正対象書類名】明細書
【補正対象項目名】００２８
【補正方法】変更
【補正の内容】
【００２８】
本発明による好ましい乳化剤組成物は、乳化剤組成物の全重量に対して５０重量％以下の、より好ましくは１％から３０％の、より特別には２．５％から２０％のポリマー非イオン界面活性剤を、成分ａ）、ｂ）およびｃ）の少なくとも１つとともに含んでなる。より特別には、乳化剤組成物は、ポリマー非イオン界面活性剤を、成分ａ）、ｂ）およびｃ）の少なくとも２つとともに含んでなる。最も好ましい乳化剤組成物は、ポリマー非イオン界面活性剤を、成分ａ）およびｂ）とともに含んでなる。好ましくは、乳化剤組成物は５から６の範囲のＨＬＢを持つように処方される。